(57)【要約】      （修正有）【課題】複数の電子部品をスティック状のケース体に一列状、かつ、移動自在に収容するにあたり、電子部品のリード線の保護をしながら、かつ、取り出しが円滑で、作業性が向上するケース体の提供。【解決手段】ケース体２を四角筒状に形成する一方、電子部品１のリード線１ｃが突出する下側円板面１ｂに対向するケース体の下側片２ｂに、リード線１ｃの突出長さよりも長く上方に突出する一対の支持片２ｅを、所定間隙を存して形成し、電子部品１の下側円板面１ｂが支持片２ｅの上端面２ｆの支持を受ける構成とする。【選択図】図１
2007145387.tif 000002
【特許請求の範囲】
【請求項１】
複数の電子部品をスティック状のケース体に一列状、かつ、移動自在に収容するにあたり、前記ケース体を中空状の筒形状に形成する一方、前記電子部品のリード線が突出する下面に対向するケース体の下方部位には、リード線の突出長さよりも長く上方に突出する一対の支持片が所定間隙を存して形成されている電子部品搬送用のケース体。
【請求項２】
電子部品は、下面から一対のリード線が突出するものとし、一対の支持片の所定間隔は、リード線の外径寸法よりも広く、かつ、一対のリード線の対向間隔よりも狭く設定されている請求項１に記載の電子部品搬送用のケース体。
【請求項３】
一対の支持片の所定間隔は、リード線の外形寸法の２倍から３倍に設定されている請求項２に記載の電子部品搬送用のケース体。
【請求項４】
ケース体の一対の支持片の対向面には、互いに近接する突片がそれぞれ形成されるものとし、これら突片の対向間隔を、リード線の外径寸法よりも広く、かつ、一対のリード線の対向間隔よりも狭く設定した請求項１、２また３の何れか一項に記載の電子部品搬送用のケース体。
【請求項５】
ケース体は、電子部品側に向けて突出する支持突片が形成されている請求項１乃至４の何れか一項に記載の電子部品搬送用のケース体。
【発明の詳細な説明】
【技術分野】
【０００１】
本発明は、プリント基板等に組み込まれるリード線を備えた電子部品搬送用のケース体の技術分野に属するものである。
【背景技術】
【０００２】
一般に、本体からリード線が突出した電子部品を、プリント基板等に組み込むことがあるが、この場合に、電子部品の組み込み場所には、複数の電子部品が箱や袋に一括して収容された状態で電子部品の製作場所から搬送されてくる。このため、搬送時の振動により電子部品同士が干渉し、リード線が折れ曲がる等の損傷を来すことがあって問題があるうえ、プリント基板に組み込むべく電子部品を個別に取り出す場合に、電子部品同士が重なり合ったり、リード線が絡み合ったりする等の問題がある。特に、リード線に極性があり、該極性を目視できるよう、一方のリード線に折り曲げ部を形成したようなものでは、リード線の絡み合いが一層激しくなって、作業性に劣るという問題があった。
【０００３】
この改善策として、電子部品のリード線をプレートに嵌入支持せしめ、スティック状のケース体に、電子部品を前記プレートとともに一列状に収容する構成とし、ケース体から一つづつ電子部品を取り出せるようにしたものが提唱されている。
【特許文献１】特開昭６１−３３４１４号公報
【発明の開示】
【発明が解決しようとする課題】
【０００４】
ところが、前記従来のものは、電子部品をプレートに支持させたものをケース体に収容する構成としているため、ケース体から取り出された電子部品をプレートから引き抜く操作が別途必要となり、個々の電子部品の取り出しは作業性よくできるものの、引き抜き作業が増加してしまうという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、複数の電子部品をスティック状のケース体に一列状、かつ、移動自在に収容するにあたり、前記ケース体を中空状の筒形状に形成する一方、前記電子部品のリード線が突出する下面に対向するケース体の下方部位には、リード線の突出長さよりも長く上方に突出する一対の支持片が所定間隙を存して形成されている電子部品搬送用のケース体である。
請求項２の発明は、電子部品は、下面から一対のリード線が突出するものとし、一対の支持片の所定間隔は、リード線の外径寸法よりも広く、かつ、一対のリード線の対向間隔よりも狭く設定されている請求項１に記載の電子部品搬送用のケース体である。
請求項３の発明は、一対の支持片の所定間隔は、リード線の外形寸法の２倍から３倍に設定されている請求項２に記載の電子部品搬送用のケース体である。
請求項４の発明は、ケース体の一対の支持片の対向面には、互いに近接する突片がそれぞれ形成されるものとし、これら突片の対向間隔を、リード線の外径寸法よりも広く、かつ、一対のリード線の対向間隔よりも狭く設定した請求項１、２また３の何れか一項に記載の電子部品搬送用のケース体である。
請求項５の発明は、ケース体は、電子部品側に向けて突出する支持突片が形成されている請求項１乃至４の何れか一項に記載の電子部品搬送用のケース体である。
【発明の効果】
【０００６】
請求項１の発明とすることにより、複数のケース体を安定した束にすることができて、搬送効率を向上させることが可能となるうえ、電子部品をケース体に安定状態で、かつ、リード線を保護した状態で収容でき、しかも、電子部品のケース体からの取り出しが円滑で、作業性が向上する。
請求項２の発明とすることにより、極性のあるリード線を備えた電子部品を、電子部品の形状に拘わらず予め設定した姿勢で取り出すことができて、作業性の一層の向上が図れる。
請求項３の発明とすることにより、ケース体の汎用性を高めることができる。
請求項４の発明とすることにより、電子部品を一層安定した状態で収容できるうえ、電子部品の取り出しも容易となり、作業性のさらなる改善が図れる。
請求項５の発明とすることにより、電子部品の取り出し作業を一層円滑にすることができる。
【発明を実施するための最良の形態】
【０００７】
つぎに、本発明の実施の形態について、図面に基づいて説明する。
図面において、１はプリント基板に組み込まれる電子部品（例えばコンデンサ）であって、該電子部品１は、断面円形状となる円柱状の本体部１ａを備えて構成されており、上下一対の円板面のうち、下方を向く下側円板面（本発明の下面）１ｂからは、下方に向けて一対のリード線１ｃが突出配設されている。前記一対のリード線１ｃは、直径方向に隣接し、これらのあいだに所定の対向間隔Ｓ１が形成されている。また、本実施の形態の各リード線１ｃは、陽極（＋極）に接続されるものと、陰極（−極）に接続されるものにそれぞれ特定されており、そして、これらの極性を容易に区別できるよう、陽極に特定されるリード線１ｃの突出端部には、鉤状の折り曲げられた折曲部１ｄが形成されている。尚、折曲部１ｄの折曲方向は何れの方向であってもよく、折曲代Ｓ２は、目視して確認できる程度であればよい。
【０００８】
一方、２はスティック状のケース体であって、該ケース体２は、上下、左右の各側片２ａ、２ｂ、２ｃ、２ｄを有した中空状の四角筒形状に形成されており、筒長方向に複数の電子部品１が一列状に収容されるべく、内法寸法は電子部品１の外径寸法よりも僅かに大きい寸法として形成されている。そして、ケース体２の下方部位となる下側片２ｂには、長尺方向に長く、上方に突出する一対の支持片２ｅが、予め設定される対向間隙Ｓ３を存する状態で一体形成されている。ここで、前記体支持片２ｅの対向間隔Ｓ３は、リード線１ｃの太さ（外径寸法）Ｌと前記折曲代Ｓ２とを合わせた長さ（Ｌ＋Ｓ２）よりも長いが、一対のリード線１ｃの対向間隔Ｓ１よりは短く（（Ｌ＋Ｓ２）＜Ｓ３＜Ｓ１）なるように設定されている。また、支持片２ｅの上下方向の突出長さＨ１は、電子部品１から突出するリード線１ｃの突出長さＨ２よりも長く設定（Ｈ１＞Ｈ２）されている。
【０００９】
そして、電子部品１は、一対のリード線１ｃがケース体２の長尺方向に隣接する姿勢となるよう向き（姿勢）を調整して、各リード線１ｃがケース体２の支持片２ｅのあいだ（支持片２ｅの対向間）に位置し、各支持片２ｅの上端面２ｆに本体部２ａの下側円板面１ｂを載置させるようにして、ケース体２に押し込む（挿入、嵌入する）ことにより、ケース体２に複数の電子部品１が順次収容されるように設定され、この状態で、電子部品１の搬送がなされるように設定されている。
【００１０】
このようにして、複数の電子部品１は、円柱状の本体部１ａが支持片２ｅの上端面２ｆによる支持を受ける状態でケース体２に収容されている。そして、ケース体２を図３に示すような傾斜姿勢とし、各電子部品１を支持片２ｅに沿って自重降下させながら取り出す場合に、電子部品１とケース体２とは下側円板面１ｂと支持片上端面２ｆとの接触部のみが摺動面となり、両者の接触面積を小さくすることができ、電子部品１のケース体２に対する摺動が円滑になされて、電子部品１が取り出しやすくなるように構成されている。そして、このケース体２への収容状態において、電子部品１から突出するリード線１ｃは、支持片２ｅのあいだに挟まれているうえ、突出端部がケース体下側片２ｂに当接することがなく、これによって、リード線１ｃの保護が図れるように構成されている。
【００１１】
また、ケース体２の支持片２ｂ同士の対向間隔Ｓ３は、前述したように、リード線１ｃの太さ（外径寸法）Ｌと前記折曲代Ｓ２とを合わせた長さよりも長く、一対のリード線１ｃの対向間隔Ｓ１よりは短い設定となっている。このため、電子部品１は、一対のリード線１ｃがケース体２の筒長方向に並列する状態となって収容され、この状態から本体部１ａが回転したとしても、リード線１ｃが支持片２ｅに干渉することにより、一対のリード線１ｃの並列方向が筒長方向に直交するような位置関係を越えて回転することはない。これによって、電子部品１をケース体２に収容する場合に、一対のリード線１ｃを、例えば陽極側を先行する状態でケース体２に収容することにより、ケース体２から取り出すときに前記姿勢が保持されて、陽極側が後行した状態で取り出されることになり、持って、電子部品１を、リード線１ｃの極性が予め設定される姿勢で取り出すことができるように構成されている。
因みに、一対の支持片２ｂの対向間隔Ｓ３をリード線１ｃの外径寸法の２〜３倍に設定する構成としてもよく、このように設定されたケース体２では、収容される電子部品１の種類（種々の形状のもの、リード線対向間隔が異なるもの）を多くすることができ、ケース体２の汎用性を高めることができる。
【００１２】
叙述の如く構成された本形態において、電子部品１を一列状に収容するスティック状のケース体２は四角筒形状に形成されているので、ケース体２を上下方向に積重ねたり、左右方向に並べたりして複数本のものを束状にして搬送する場合であっても、安定した束に形成することができて、搬送効率を向上させることが可能となる。
しかも、このものでは、電子部品１のリード線１ｃが突出する下側円板面１ｂに対向するケース体２の下側片２ｂに、所定間隙Ｓ３を存する一対の支持片２ｅが下側円板面１ｂに向けて突出形成されており、しかも、支持片２ｅの突出長さがリード線１ｃ長さよりも長く形成されているので、これら支持片２ｅの上端面２ｆに電子部品本体部２ａの下側円板面１ｂを支持させて収容したとき、電子部品１を安定した状態で収容することができる。そのうえ、電子部品１のリード線１ｃがケース体２の支持片２ｅ下側片２ｂのあいだに挟まれ、しかも、リード線１ｃの下端部が下側片２ｂに接触することがないので、リード線１ｃが折れ曲がるようなことがなく、保護を図ることができる。そのうえ、ケース体２を傾けて電子部品１を一つ一つ取り出すような場合に、電子部品１とケース体２との接触面積が、一対の支持片上端面２ｆに基づくもののみとなって、接触面積を小さくできて、電子部品１を円滑に降下せしめて取り出すことができ、作業性の向上を図れる。
【００１３】
さらに、本発明が実施されたものにあっては、支持片２ｅ同士のあいだの所定間隔Ｓ３が、リード線１ｃの太さ（外径寸法）Ｌと前記折曲代Ｓ２とを合わせた長さよりも長いが、一対のリード線１ｃの対向間隔Ｓ１よりは短く（（Ｌ＋Ｓ２）＜Ｓ３＜Ｓ１）設定されているので、電子部品本体部１ａの形状が本実施の形態のように断面円形状のものであっても、リード線１ｃが支持片２ｅに当接することで本体部１ａがケース体２内において回転するのが規制されることになり、極性のあるリード線１ｃを予め設定される姿勢でケース体２に収容することにより、前記姿勢を維持した状態で電子部品１を取り出すことが可能となり、作業性の一層の向上を図ることができる。
【００１４】
尚、本発明は前記実施の形態に限定されないことは勿論であって、図４（Ａ）、（Ｂ）、（Ｃ）に示す第二、第三、第四の実施の形態のように構成することもできる。
尚、第二、第三、第四の実施の形態において、電子部品１は、前記第一の実施の形態と同様のものが用いられており、前記第一の実施の形態と同様の符号を付すことで電子部品１の説明は省略する。
【００１５】
図４（Ａ）の第二の実施の形態において、ケース体３は、電子部品１の下側円板面１ｂに対向する下側片３ａから上方に向けて突出する支持片３ｂは、前記第一の実施の形態と同様にリード線１ｃの突出長さよりも長く形成されるが、支持片３ｂの対向間隔は、前記第一の実施の形態よりも広く設定されたものとなっている。これによって、電子部品１の支持片３ｂによる支持が一層安定化せしめられ、電子部品１がケース体３内において傾いてしまうような不具合を一層防止できるようにしている。そして、この場合に、支持片３ｂの互いの対向面において、リード線１ｃ側に突出する突片３ｃがそれぞれ長尺状に形成されており、これら突片３ｃ同士の対向間隔Ｓ４を、リード線１ｃの太さ（外径寸法）Ｌと折曲代Ｓ２とを合わせた長さよりも長いが、一対のリード線１ｃの対向間隔Ｓ１よりは短く（（Ｌ＋Ｓ２）＜Ｓ４＜Ｓ１）設定している。これによって、このものにおいても、ケース体３に複数の電子部品１を収容して、電子部品１のリード線１ｃの保護を図りながら纏めて搬送することができ、しかも、電子部品１のケース体３内での回転を突片３ｃにより規制することができ、リード線１ｃに極性のある電子部品１を予め設定された姿勢を維持した姿勢で取り出すことができて、作業性の向上が図れる。
【００１６】
さらに、図４（Ｂ）に示す第三の実施の形態のものにおいて、ケース体４は、電子部品１の外形よりも大きい内法に設定された左右の側片４ａ、４ｂおよび上側片４ｃの各内面に、それぞれ長尺状の支持突片４ｄが突出形成されており、これら各支持突片４ｄの先端面が電子部品１に近接対向する構成となっている。さらに、下側片４ｅには、前記第一の実施の形態と同様に寸法設定された一対の支持片４ｆが形成されている。これによって、電子部品１のリード線１ｃの保護を図りながら纏めて搬送ができるとともに、ケース体４を取り出す際に、電子部品１が傾いたとしても、電子部品１とケース体４との接触面積を補助突片４ｄによるものとして小さくすることができ、円滑な降下摺動がなされて電子部品１の取り出し作業が損なわれないようにできる。
【００１７】
また、図４（Ｃ）に示す第四の実施の形態において、ケース体５の左右の側片５ａ、５ｂの内周面、および上側片５ｃの内周面に、それぞれ先端尖鋭状の支持突片５ｅを長尺状に形成し、該支持突片５ｄの先端部が電子部品１に近接対向する構成となっている。さらに、下側片５ｅに形成される一対の支持片５ｆは、前記第一の実施の形態と同様にリード線１ｃの突出長さよりも長く形成されており、これら支持片５ｆの対向面に、前記支持突片５ｄと略同形状の先端尖鋭状の突片５ｇが長尺状に形成されている。そして、これら突片５ｇの対向間隔は、リード線１ｃの太さ（外径寸法）と折曲代とを合わせた長さよりも長いが、一対のリード線１ｃの対向間隔よりは短く設定されている。そして、このように構成することにより、電子部品１の傾斜防止、回転規制を確実に行えるとともに、電子部品１のリード線１ｃの保護を図りながら纏めて搬送することができ、しかも、極性のあるものを所定の姿勢で容易にケース体５から取り出すことができる。
【００１８】
尚、突片および支持突片は、それぞれ先端尖鋭状に限定されることはなく、湾曲面に形成されていてもよく、要は、電子部品との接触面積が小さい状態で傾斜する電子部品を支持することができる構成であればよい。
【００１９】
また、電子部品の形状としては、前記断面円形状の他に、断面四角形状、断面楕円形状、断面三角形状等、種々の形状のものに対応することができる。さらに、ケース体の形状としては、前記四角筒形状の他に、円筒形状、三角筒形状等、種々の形状に形成することができる。
【図面の簡単な説明】
【００２０】
【図１】電子部品とケース体の収容状態を説明する斜視図である。
【図２】図２（Ａ）、（Ｂ）はそれぞれ電子部品をケース体に収容した状態を説明する正面図、側面図である。
【図３】電子部品をケース体に収容した状態を説明する斜視図である。
【図４】図４（Ａ）、（Ｂ）、（Ｃ）はそれぞれ第二、第三、第四の実施の形態の電子部品をケース体に収容した状態を説明する正面図である。
【符号の説明】
【００２１】
１    電子部品
１ａ    本体部
１ｂ    下側円板面
１ｃ    リード線
２    ケース体
２ｂ    下側片
２ｅ    支持片
【図１】
2007145387.tif 000003
【図２】
2007145387.tif 000004
【図３】
2007145387.tif 000005
【図４】
2007145387.tif 000006